(57)【特許請求の範囲】
【請求項１】
扉が開かれた際に警報を通知する警報装置が設けられた管理設備から、離れた位置に設けられ、離れた位置から前記警報装置を制御する制御装置と、作業者が携帯して前記作業者の現在位置情報を検出し、前記現在位置情報を前記制御装置に送信可能な携帯端末と、を有する管理設備の入室管理システムであって、
前記制御装置は、
キーコードを取得するキーコード作成部と、
前記作業者が管理設備で作業を行う旨の事前の申請に基づき、前記作業者が作業を行う予定としている予定管理設備の情報と前記キーコードとを関連付けて記憶する対応記憶部と、
前記キーコードを含む情報を入室許可コードとして、事前に前記作業者に送付する入室許可コード送付部と、
前記作業者が管理設備への入室を希望する旨の入室希望情報と、前記作業者の現在位置情報と、前記入室許可コードとを前記携帯端末から取得する情報取得部と、
前記入室希望情報が取得された場合、前記情報取得部が取得した現在位置情報に基づき、現在管理設備を検出する現在管理設備検出部と、
前記情報取得部が取得した前記入室許可コードから読み出した前記予定管理設備と、前記現在管理設備とが一致しているかを判断する一致判断部と、
前記一致判断部の判断結果を、前記作業者とは異なる前記制御装置の操作者に通知する情報通知部と、
前記操作者によって入力される情報であって、前記現在管理設備への入室を許可する情報である入室許可情報を取得する許可情報取得部と、
前記一致判断部が一致していると判断した場合、及び前記許可情報取得部が前記入室許可情報を取得した場合の少なくともいずれか一方の場合に、前記警報装置を、前記扉が開かれた際にも警報通知しない警報解除モードとする警報通知制御部と、
を有する、管理設備の入室管理システム。
【請求項２】
前記警報通知制御部は、前記一致判断部が一致していると判断し、かつ、前記許可情報取得部が前記入室許可情報を取得した場合に、前記警報解除モードとする、請求項１に記載の管理設備の入室管理システム。
【請求項３】
前記情報取得部は、前記作業者が管理設備からの退室を希望する旨の退室希望情報と、前記作業者の現在位置情報と、前記入室許可コードとを前記携帯端末から取得し、
前記現在管理設備検出部は、前記退室希望情報が取得された場合、前記情報取得部が取得した現在位置情報に基づき、現在管理設備を検出し、
前記許可情報取得部は、前記操作者によって入力される情報であって、前記現在管理設備からの退室を許可する情報である退室許可情報を取得し、
前記警報通知制御部は、前記一致判断部が一致していると判断した場合、及び前記許可情報取得部が前記退室許可情報を取得した場合の少なくともいずれか一方の場合に、前記警報装置を、前記扉が開かれた際に警報通知する警報通知モードとする、請求項１又は請求項２に記載の管理設備の入室管理システム。
【請求項４】
前記警報通知制御部は、前記警報解除モードである場合、次に前記退室希望情報が取得されて、前記一致判断部が一致していると判断するまでは、前記警報解除モードを維持し、前記警報通知モードである場合、次に前記入室希望情報が取得されて、前記一致判断部が一致していると判断するまでは、前記警報通知モードを維持する、請求項３に記載の管理設備の入室管理システム。
【請求項５】
前記制御装置は、前記管理設備の扉のロックを開閉制御する開閉制御部を更に有しており、
前記開閉制御部は、
前記入室希望情報が取得されて前記一致判断部が一致していると判断した場合、及び前記許可情報取得部が前記入室許可情報を取得した場合の少なくともいずれか一方の場合に、前記扉のロックを解除し、
前記退室希望情報が取得されて前記一致判断部が一致していると判断した場合、及び前記許可情報取得部が前記退室許可情報を取得した場合の少なくともいずれか一方の場合に、前記扉をロックする、請求項３又は請求項４に記載の管理設備の入室管理システム。
【請求項６】
前記開閉制御部は、前記扉のロックを解除している場合、次に前記退室希望情報が取得されて、前記一致判断部が一致していると判断するまでは、前記扉のロックを解除し続け、前記扉をロックしている場合、次に前記入室希望情報が取得されて、前記一致判断部が一致していると判断するまでは、前記扉をロックし続ける、請求項５に記載の管理設備の入室管理システム。
【請求項７】
扉が設けられた管理設備から離れた位置に設けられ、離れた位置から前記管理設備の扉のロックの開閉を制御する制御装置と、作業者が携帯して前記作業者の現在位置情報を検出し、前記現在位置情報を前記制御装置に送信可能な携帯端末と、を有する管理設備の入室管理システムであって、
前記制御装置は、
キーコードを取得するキーコード作成部と、
前記作業者が管理設備で作業を行う旨の事前の申請に基づき、前記作業者が作業を行う予定としている予定管理設備の情報と前記キーコードとを関連付けて記憶する対応記憶部と、
前記キーコードを入室許可コードとして、事前に前記作業者に送付する入室許可コード送付部と、
前記作業者が管理設備への入室を希望する旨の入室希望情報と、前記作業者の現在位置情報と、前記入室許可コードとを前記携帯端末から取得する情報取得部と、
前記情報取得部が取得した現在位置情報に基づき、現在管理設備を検出する現在管理設備検出部と、
前記情報取得部が取得した前記入室許可コードから読み出した前記予定管理設備と、前記現在管理設備とが一致しているかを判断する一致判断部と、
前記一致判断部の判断結果を、前記作業者とは異なる前記制御装置の操作者に通知する情報通知部と、
前記操作者によって入力される情報であって、前記現在管理設備への入室を許可する情報である入室許可情報を取得する許可情報取得部と、
前記一致判断部が一致していると判断した場合、及び前記許可情報取得部が前記入室許可情報を取得した場合の少なくともいずれか一方の場合に、前記扉のロックを解除する開閉制御部と、
を有する、管理設備の入室管理システム。
【請求項８】
扉が開かれた際に警報を通知する警報装置が設けられた管理設備から、離れた位置から、前記警報装置を制御する管理設備の入室管理方法であって、
キーコードを取得し、作業者が管理設備で作業を行う旨の事前の申請に基づき、前記作業者が作業を行う予定としている予定管理設備の情報と前記キーコードとを関連付けて記憶するキーコード作成ステップと、
前記キーコードを入室許可コードとして、事前に前記作業者に送付する入室許可コード送付ステップと、
前記作業者が管理設備への入室を希望する旨の入室希望情報と、前記作業者の現在位置情報と、前記入室許可コードとを、前記作業者が携帯して前記作業者の現在位置情報を検出可能な携帯端末から取得する情報取得ステップと、
取得した前記現在位置情報に基づき、現在管理設備を検出する現在管理設備検出ステップと、
取得した前記入室許可コードから読み出した前記予定管理設備と、前記現在管理設備とが一致しているかを判断する一致判断ステップと、
前記一致判断ステップの判断結果を、前記作業者とは異なる操作者に通知する情報通知ステップと、
前記操作者によって入力される情報であって、前記現在管理設備への入室を許可する情報である入室許可情報を取得する許可情報取得ステップと、
前記一致判断ステップにおいて一致していると判断した場合、及び前記許可情報取得ステップで前記入室許可情報を取得した場合の少なくともいずれか一方の場合に、前記警報装置を、前記扉が開かれた際にも警報通知しない警報解除モードとする警報通知制御ステップと、
を、コンピュータによって実行する、管理設備の入室管理方法。
【発明の詳細な説明】
【技術分野】
【０００１】
本発明は、管理設備の入室管理システム及び管理設備の入室管理方法に関する。
【背景技術】
【０００２】
電気所などの管理が必要な設備は、作業者以外の者が容易に入室できないように、施錠をして、作業者以外の者が開錠して入室できないように入室管理を行っている。また、何らかの方法で作業者以外の者が入室した場合に備えて、警報でその旨を通知する警報装置が設けられている場合がある。例えば、特許文献１には、個人ＩＤで認証を行って扉に備えられた電子錠の開閉制御を行う制御装置について記載されている。
【先行技術文献】
【特許文献】
【０００３】
【特許文献１】特開２０１５−１２５６９１号公報
【発明の概要】
【発明が解決しようとする課題】
【０００４】
ここで、例えば複数の設備の入室管理を行う場合、作業者がどの設備に入室しようとしているかを適切に認識する必要がある。作業者がどの設備に入室しようとしているかを適切に認識できない場合、それぞれの設備への入室管理を適切に行うことはできない。作業者がどの設備に入室しようとしているかを適切に認識する点については、改善の余地がある。
【０００５】
本発明は、上記課題を解決するために、作業者がどの設備に入室しようとしているかを適切に認識して、設備への入室管理を適切に行う管理設備の入室管理システム及び管理設備の入室管理方法を提供することを目的とする。
【課題を解決するための手段】
【０００６】
上述した課題を解決し、目的を達成するために、本開示の管理設備の入室管理システムは、扉が開かれた際に警報を通知する警報装置が設けられた管理設備から、離れた位置に設けられ、離れた位置から前記警報装置を制御する制御装置と、作業者が携帯して前記作業者の現在位置情報を検出し、前記現在位置情報を前記制御装置に送信可能な携帯端末と、を有する管理設備の入室管理システムであって、前記制御装置は、キーコードを取得するキーコード作成部と、前記作業者が管理設備で作業を行う旨の事前の申請に基づき、前記作業者が作業を行う予定としている予定管理設備の情報と前記キーコードとを関連付けて記憶する対応記憶部と、前記キーコードを含む情報を入室許可コードとして、事前に前記作業者に送付する入室許可コード送付部と、前記作業者が管理設備への入室を希望する旨の入室希望情報と、前記作業者の現在位置情報と、前記入室許可コードとを前記携帯端末から取得する情報取得部と、前記入室希望情報が取得された場合、前記情報取得部が取得した現在位置情報に基づき、現在管理設備を検出する現在管理設備検出部と、前記情報取得部が取得した前記入室許可コードから読み出した前記予定管理設備と、前記現在管理設備とが一致しているかを判断する一致判断部と、前記一致判断部の判断結果を、前記作業者とは異なる前記制御装置の操作者に通知する情報通知部と、前記操作者によって入力される情報であって、前記現在管理設備への入室を許可する情報である入室許可情報を取得する許可情報取得部と、前記一致判断部が一致していると判断した場合、及び前記許可情報取得部が前記入室許可情報を取得した場合の少なくともいずれか一方の場合に、前記警報装置を、前記扉が開かれた際にも警報通知しない警報解除モードとする警報通知制御部と、を有する。
【０００７】
前記管理設備の入室管理システムにおいて、前記警報通知制御部は、前記一致判断部が一致していると判断し、かつ、前記許可情報取得部が前記入室許可情報を取得した場合に、前記警報解除モードとすることが好ましい。
【０００８】
前記管理設備の入室管理システムにおいて、前記情報取得部は、前記作業者が管理設備からの退室を希望する旨の退室希望情報と、前記作業者の現在位置情報と、前記入室許可コードとを前記携帯端末から取得し、前記現在管理設備検出部は、前記退室希望情報が取得された場合、前記情報取得部が取得した現在位置情報に基づき、現在管理設備を検出し、前記許可情報取得部は、前記操作者によって入力される情報であって、前記現在管理設備からの退室を許可する情報である退室許可情報を取得し、前記警報通知制御部は、前記一致判断部が一致していると判断した場合、及び前記許可情報取得部が前記退室許可情報を取得した場合の少なくともいずれか一方の場合に、前記警報装置を、前記扉が開かれた際に警報通知する警報通知モードとすることが好ましい。
【０００９】
前記管理設備の入室管理システムにおいて、前記警報通知制御部は、前記警報解除モードである場合、次に前記退室希望情報が取得されて、前記一致判断部が一致していると判断するまでは、前記警報解除モードを維持し、前記警報通知モードである場合、次に前記入室希望情報が取得されて、前記一致判断部が一致していると判断するまでは、前記警報通知モードを維持することが好ましい。
【００１０】
前記管理設備の入室管理システムにおいて、前記制御装置は、前記管理設備の扉のロックを開閉制御する開閉制御部を更に有しており、前記開閉制御部は、前記入室希望情報が取得されて前記一致判断部が一致していると判断した場合、及び前記許可情報取得部が前記入室許可情報を取得した場合の少なくともいずれか一方の場合に、前記扉のロックを解除し、前記退室希望情報が取得されて前記一致判断部が一致していると判断した場合、及び前記許可情報取得部が前記退室許可情報を取得した場合の少なくともいずれか一方の場合に、前記扉をロックすることが好ましい。
【００１１】
前記管理設備の入室管理システムにおいて、前記開閉制御部は、前記扉のロックを解除している場合、次に前記退室希望情報が取得されて、前記一致判断部が一致していると判断するまでは、前記扉のロックを解除し続け、前記扉をロックしている場合、次に前記入室希望情報が取得されて、前記一致判断部が一致していると判断するまでは、前記扉をロックし続けることが好ましい。
【００１２】
上述した課題を解決し、目的を達成するために、本開示の管理設備の入室管理システムは、扉が設けられた管理設備から離れた位置に設けられ、離れた位置から前記管理設備の扉のロックの開閉を制御する制御装置と、作業者が携帯して前記作業者の現在位置情報を検出し、前記現在位置情報を前記制御装置に送信可能な携帯端末と、を有する管理設備の入室管理システムであって、前記制御装置は、キーコードを取得するキーコード作成部と、前記作業者が管理設備で作業を行う旨の事前の申請に基づき、前記作業者が作業を行う予定としている予定管理設備の情報と前記キーコードとを関連付けて記憶する対応記憶部と、前記キーコードを入室許可コードとして、事前に前記作業者に送付する入室許可コード送付部と、前記作業者が管理設備への入室を希望する旨の入室希望情報と、前記作業者の現在位置情報と、前記入室許可コードとを前記携帯端末から取得する情報取得部と、前記情報取得部が取得した現在位置情報に基づき、現在管理設備を検出する現在管理設備検出部と、前記情報取得部が取得した前記入室許可コードから読み出した前記予定管理設備と、前記現在管理設備とが一致しているかを判断する一致判断部と、前記一致判断部の判断結果を、前記作業者とは異なる前記制御装置の操作者に通知する情報通知部と、前記操作者によって入力される情報であって、前記現在管理設備への入室を許可する情報である入室許可情報を取得する許可情報取得部と、前記一致判断部が一致していると判断した場合、及び前記許可情報取得部が前記入室許可情報を取得した場合の少なくともいずれか一方の場合に、前記扉のロックを解除する開閉制御部と、を有する。
【００１３】
上述した課題を解決し、目的を達成するために、本開示の管理設備の入室管理方法は、扉が開かれた際に警報を通知する警報装置が設けられた管理設備から、離れた位置から、前記警報装置を制御する管理設備の入室管理方法であって、キーコードを取得し、作業者が管理設備で作業を行う旨の事前の申請に基づき、前記作業者が作業を行う予定としている予定管理設備の情報と前記キーコードとを関連付けて記憶するキーコード作成ステップと、前記キーコードを入室許可コードとして、事前に前記作業者に送付する入室許可コード送付ステップと、前記作業者が管理設備への入室を希望する旨の入室希望情報と、前記作業者の現在位置情報と、前記入室許可コードとを、前記作業者が携帯して前記作業者の現在位置情報を検出可能な携帯端末から取得する情報取得ステップと、取得した前記現在位置情報に基づき、現在管理設備を検出する現在管理設備検出ステップと、取得した前記入室許可コードから読み出した前記予定管理設備と、前記現在管理設備とが一致しているかを判断する一致判断ステップと、前記一致判断ステップの判断結果を、前記作業者とは異なる操作者に通知する情報通知ステップと、前記操作者によって入力される情報であって、前記現在管理設備への入室を許可する情報である入室許可情報を取得する許可情報取得ステップと、前記一致判断ステップにおいて一致していると判断した場合、及び前記許可情報取得ステップで前記入室許可情報を取得した場合の少なくともいずれか一方の場合に、前記警報装置を、前記扉が開かれた際にも警報通知しない警報解除モードとする警報通知制御ステップと、を有する。
【発明の効果】
【００１４】
本発明によれば、作業者がどの設備に入室しようとしているかを適切に認識して、設備への入室管理を適切に行うことができる。
【図面の簡単な説明】
【００１５】
【図１】図１は、本実施形態に係る入室管理システムを示す模式図である。
【図２】図２は、携帯端末の構成を示すブロック図である。
【図３】図３は、本実施形態に係る制御装置の構成を示すブロック図である。
【図４】図４は、事前処理を説明するフローチャートである。
【図５】図５は、入室処理を説明するフローチャートである。
【図６】図６は、表示部による予定作業情報の表示画面の一例を示している。
【図７】図７は、表示部による入退室情報の表示画面の一例を示している。
【図８】図８は、退室処理を説明するフローチャートである。
【発明を実施するための形態】
【００１６】
以下に添付図面を参照して、本発明の好適な実施形態を詳細に説明する。なお、この実施形態により本発明が限定されるものではなく、また、実施形態が複数ある場合には、各実施例を組み合わせて構成するものも含むものである。
【００１７】
図１は、本実施形態に係る入室管理システムを示す模式図である。図１に示すように、本実施形態に係る入室管理システム１は、管理敷地１００内に設けられた管理設備１１０への作業者Ａの入退室を管理するシステムである。管理敷地１００は、柵や壁などで周囲が囲われており、管理敷地扉１０２以外からの内部への進入が防止されている。管理敷地扉１０２は、施錠されており、鍵を用いて開錠しない限り開かないようになっている。管理敷地１００内に設けられた管理設備１１０は、内部に作業対象装置１１１が設けられた建物である。作業対象装置１１１は、作業者Ａが作業を行う対象の装置である。管理設備１１０は、扉１１２を有しており、電子錠である電子ロック１１４により錠の開閉が管理されている。電子ロック１１４が閉じている場合、扉１１２は開くことができず、電子ロック１１４が開いている場合、扉１１２は開くことができる。また、管理設備１１０内には、警報装置１１６が設けられている。警報装置１１６は、扉が開かれた際に警報を通知する装置である。警報は、扉が開かれたことを通知するものであれば特に限定されず、音を発するなどの聴覚的情報を通知するものであってもよいし、ランプが点灯するなどの視覚的情報を通知するものであってもよい。警報装置１１６は、スイッチにより、警報通知モードと警報解除モードとに切り替えられる。警報装置１１６は、警報通知モードである場合、扉１１２が開かれた際に警報を通知する。警報装置１１６は、警報解除モードである場合、扉１１２が開かれても警報を通知しない。
【００１８】
本実施形態においては、管理設備１１０は、電気所である。また、作業対象装置１１１は、電気所内に設けられる装置であり、例えば変圧器や遮断器などである。ただし、管理設備１１０は、扉１１２を有しており、扉１１２が施錠管理される設備であれば、電気所に限られない。例えば、管理設備１１０は、倉庫や車庫であってもよく、ボイラー室、機械室、エレベータ室などの建物における部屋などであってもよい。また、管理設備１１０は、施錠管理される屋上であってもよい。また、管理設備１１０は、施錠管理されている管理敷地１００内に設けられるが、管理敷地１００内に設けられることに限られない。
【００１９】
図１に示すように、入室管理システム１は、携帯端末１０と制御装置２０とを有する。携帯端末１０は、作業者Ａが携帯する端末であり、作業者Ａが現在位置している現在位置情報を検出することができる。また、携帯端末１０は、検出した現在位置情報を制御装置２０に無線で送信することができる。現在位置情報は、作業者Ａの現在位置の経度及び緯度の情報である。携帯端末１０は、制御装置２０と無線でデータを通信できるものであり、例えばＧＰＳ機能付のスマートフォンである。
【００２０】
図２は、携帯端末の構成を示すブロック図である。図２に示すように、携帯端末１０は、入退室希望情報取得部１１と、現在情報取得部１２と、入室許可コード取得部１４と、情報通信部１６とを有する。入退室希望情報取得部１１は、作業者によって入力された入室希望情報又は退室希望情報を取得するものである。現在情報取得部１２は、例えばＧＰＳ機能により、現在位置情報を取得するものである。入室許可コード取得部１４は、入室許可コードを取得ものである。情報通信部１６は、制御装置２０と情報通信を行うものである。携帯端末１０の各部の機能については後述する。
【００２１】
図１に示すように、制御装置２０は、管理設備１１０から離れた位置にある制御設備１２０内に設けられる。制御装置２０は、複数の管理設備１１０に対する作業者Ａの入退室管理を、管理設備１１０から離れた位置から行う制御装置である。制御装置２０は、入力部２２と表示部２４と制御部２６とを有する装置であり、本実施形態ではコンピュータである。入力部２２は、制御装置２０を操作する操作者Ｂの操作が入力されるものであり、本実施形態ではマウスやキーボードである。表示部２４は、制御部２６からの情報が表示されるものであり、本実施形態では表示画面である。制御部２６は、複数の管理設備１１０に対する作業者Ａの入退室管理に関する制御を行う。ただし、制御装置２０は、一つの管理設備１１０に対する入退室管理を行うものであってもよい。
【００２２】
本実施形態では、制御装置２０は、携帯端末１０と情報通信を行い、電子ロック１１４の開閉を制御し、警報装置１１６のスイッチを制御して警報通知モードと警報解除モードとを切り替える。制御装置２０は、携帯端末１０と無線で通信を行うものであるが、電子ロック１１４と警報装置１１６とは、有線を介して接続されており、有線を介して電子ロック１１４と警報装置１１６とを制御する。例えば、制御装置２０は、有線を介して電子ロック１１４及び警報装置１１６に設けられたリレーを開閉して、電子ロック１１４と警報装置１１６とを制御する。ただし、制御装置２０は、電子ロック１１４の開閉を制御し、警報装置１１６のモード切替を行うものであれば、その制御方法は上記に限られず、例えば無線通信で制御を行ってもよい。
【００２３】
次に、制御装置２０による管理設備１１０の入退室管理を詳細に説明する。制御装置２０は、管理設備１１０の入退室管理を行うに当たって、事前処理と、入室処理と、退室処理とを行う。事前処理は、作業者Ａの事前の申請により、作業者Ａによって作業される予定の管理設備１１０の情報を登録する処理である。入室処理は、作業者Ａの管理設備１１０への入室を管理する処理である。退室処理は、作業者Ａの管理設備１１０からの退室を管理する処理である。
【００２４】
（事前処理）
最初に、事前処理について説明する。図３は、本実施形態に係る制御装置の構成を示すブロック図である。図４は、事前処理を説明するフローチャートである。図３に示すように、制御装置２０の有する制御部２６は、事前処理部３０と対応記憶部３６と位置情報記憶部３８と入退室処理部４０とを有する。入退室処理部４０は、入室処理と退室処理とを行うものであるが、説明は後述する。事前処理部３０は、事前処理を行うものであり、キーコード作成部３２と入室許可コード送付部３４とを有する。
【００２５】
以下、図４のフローチャートを用いて事前処理について説明する。図４に示すように、事前処理を行う場合、最初に、作業者が、管理設備１１０において行うことを予定している作業を申請する（ステップＳ１０）。この作業申請は、作業者Ａが管理設備１１０で作業を行う旨の事前に行われる申請である。本実施形態においては、作業申請は、作業者が管理敷地１００（管理設備１１０）に行く前に事前に行われる。ただし、例えば緊急の作業の場合などは、作業申請は、作業者が管理敷地１００（管理設備１１０）に行ってから行われてもよい。すなわち、作業申請は、作業者Ａが管理設備１１０に入室許可を得ようとする前（入室希望情報を入力する前）に行われる申請である。
【００２６】
作業申請に含まれる情報である作業情報は、これから作業者Ａが行う予定としている作業の情報であり、少なくとも、作業を行うことを予定している管理設備１１０である予定管理設備の情報を有している。予定管理設備の情報とは、その予定管理設備の名称など、予定管理設備を他の管理設備から特定することが可能な情報であり、その情報に基づき、予定管理設備の位置（経度及び緯度）を特定して、他の管理設備１１０と区別することができる情報である。本実施形態における作業情報は、予定管理設備の情報の他に、作業内容（どのような作業を行うのかという情報）、作業者Ａの情報（作業者Ａの氏名や社員コードなど）、作業者Ａの連絡先（作業者Ａの有する携帯端末１０の電話番号やメールアドレスなど）、入室予定日時、退室予定日時などを含む。ただし、作業情報は、少なくとも予定管理設備の情報を有していればよい。なお、作業申請は、例えば紙面に作業情報を記入して、それを操作者Ｂに提出して行われるが、申請方法はこれに限られず、作業情報を電子データとして操作者Ｂに送付してもよいし、作業情報を制御装置２０に直接送信してもよい。
【００２７】
作業申請が行われた後、操作者Ｂは、その作業申請に含まれていた作業情報を、入力部２２で入力する（ステップＳ１２）。制御装置２０は、キーコード作成部３２が、キーコードを作成（取得）し（ステップＳ１３）、対応記憶部３６が、予定作業情報を記憶する（ステップＳ１４）。キーコードとは、キーコード作成部３２により発番されるコードである。対応記憶部３６は、作業情報とこのキーコードとを関連付けて、予定作業情報として記憶する。すなわち、予定作業情報とは、予定管理設備の情報（ここでは作業情報）とそれに関連付けたキーコードとを含む情報である。言い換えれば、対応記憶部３６は、作業者Ａが管理設備１１０で作業を行う旨の事前の申請（作業申請）に基づき、予定管理設備の情報（ここでは作業情報）とキーコードとを関連付けて、予定作業情報として記憶する。キーコード自体は、発番された任意のコードであるため、キーコードを入力して制御装置２０に記憶された予定作業情報を読み出さない限り、キーコードのみでは、予定管理設備の情報などの作業情報を読み出すことはできない。すなわち、キーコードは、制御装置２０が予定管理設備の情報に関連付けたコード（情報）である。なお、作業情報は、操作者Ｂによって入力されなくてもよく、例えば作業者Ａが作業情報を制御装置２０に直接送信した場合は、対応記憶部３６が、その作業情報を読み取って、予定作業情報を作成してもよい。
【００２８】
また、位置情報記憶部３８は、予定管理設備の情報と、その予定管理設備の位置情報（例えば経度及び緯度）とを関連付けて記憶している。
【００２９】
キーコードを作成し、予定作業情報を記憶した後、制御装置２０は、入室許可コード送付部３４が、キーコードを含む情報を入室許可コードとして、作業者Ａに送付し（ステップＳ１６）、作業者Ａは、その入室許可コードを取得する（ステップＳ１８）。入室許可コード送付部３４は、キーコードに基づき入室許可コードを生成する。入室許可コードは、キーコードを含む情報であり、例えばキーコードを暗号化した情報である。入室許可コードは、本実施形態では、二次元コードであるが、例えばバーコードであってもよく、キーコードを含む情報であれば、その形態は任意である。本実施形態では、入室許可コードは、キーコードの情報のみを有するが、それ以外の予定作業情報に含まれる情報（例えば予定管理設備の情報など）を有していてもよい。
【００３０】
入室許可コード送付部３４は、その入室許可コードを作業者Ａに送付する。入室許可コード送付部３４は、入室許可コードが記入された書面の電子データを作業者Ａに送付する。作業者Ａは、その入室許可コードが記入された書面を印刷して、予定管理設備に持参する。ただし、入室許可コード送付部３４は、その入室許可コードを作業者Ａに送付するものであれば、入室許可コードが記入された書面の電子データを作業者Ａに送付しなくてもよく、例えば、作業者Ａの携帯端末１０に入室許可コードを送信してもよい。
【００３１】
作業者Ａが入室許可コードを取得したら、この事前処理は終了する。このように、事前処理は、作業者Ａに、管理設備１１０の入室前に入室許可コードを取得させるために行うものである。
【００３２】
（入室処理）
次に、入室処理について説明する。入室処理は、上述の事前処理の後に行われるものであり、作業者Ａの管理設備１１０への入室を管理するための処理である。入室処理は、制御装置２０の入退室処理部４０によって実行される。図３に示すように、入退室処理部４０は、情報取得部４２と、現在管理設備検出部４４と、情報読出部４６と、情報通知部４７と、一致判断部４８と、許可情報取得部５０と、情報送信部５２と、警報通知制御部５４と、開閉制御部５６とを有する。
【００３３】
図５は、入室処理を説明するフローチャートである。以下、図５のフローチャートを用いて入室処理について説明する。入室処理を行う際、最初に、作業者Ａが、作業を行う管理設備１１０が設けられる管理敷地１００に向かう。作業者Ａは、持参していた鍵で管理敷地扉１０２を開錠し、管理敷地１００内に進入する。
【００３４】
作業者Ａは、図１に示すように管理設備１１０の扉１１２の前で、持参していた携帯端末１０に、その管理設備１１０に入室を希望する旨の情報である入室希望情報を入力する。携帯端末１０は、入退室希望情報取得部１１により、作業者Ａが入力した入室希望情報を取得する（ステップＳ２０）。ただし、作業者Ａは、扉１１２の前でなくても、管理設備１１０の周辺で入室希望情報を入力すればよい。管理設備１１０の周辺とは、その位置で検出された現在位置情報で、他の管理設備１１０と区別できる程度の距離である。すなわち、作業者Ａは、その位置で検出された現在位置情報に基づき、その管理設備１１０がどの管理設備であるかを特定できる位置で、入室希望情報を入力すればよい。
【００３５】
入室希望情報を取得したら、携帯端末１０は、入室希望処理を実行する。具体的には、携帯端末１０は、入室希望情報を取得したら、現在情報取得部１２により作業者Ａの現在位置情報を取得し、入室許可コード取得部１４により入室許可コードを取得する（ステップＳ２２）。以下、現在位置情報をα１とし、入室許可コードをα２とする。現在情報取得部１２は、作業者Ａの現在位置情報α１に加え、現在時刻の情報も取得する。入室許可コード取得部１４は、作業者Ａが持参していた入室許可コードα２が記入された書面から入室許可コードα２を読み出して、入室許可コードα２を取得する。例えば、作業者Ａは、書面に記入された入室許可コードα２を携帯端末１０のカメラで撮影することで、入室許可コード取得部１４に入室許可コードα２を読み出させる。ただし、入室許可コード取得部１４は、入室希望情報を取得した後に入室許可コードα２を取得すればよく、その取得方法は任意である。
【００３６】
現在位置情報α１及び入室許可コードα２を取得した後、携帯端末１０は、情報通信部１６により、入室情報α３を制御装置２０に送信する（ステップＳ２４）。入室情報α３は、入退室希望情報取得部１１が取得した入室希望情報と、現在情報取得部１２が検出した現在位置情報α１と、入室許可コード取得部１４が取得した入室許可コードα２とを含む情報である。本実施形態では、入室情報α３は、入室希望情報と現在位置情報α１と入室許可コードα２とに加え、現在情報取得部１２が検出した現在時刻の情報と、携帯端末１０の通信用の端末番号（例えば電話番号）とを含む。
【００３７】
制御装置２０は、情報取得部４２により、携帯端末１０から送信された入室情報α３を取得する（ステップＳ２６）。入室情報α３を取得した後、制御装置２０は、情報読出部４６が、入室情報α３から予定作業情報を読み出し、情報通知部４７が、その読み出された予定作業情報を通知する（ステップＳ２８）。具体的には、情報読出部４６は、情報取得部４２から、入室情報α３に含まれていた入室許可コードα２を取得する。情報読出部４６は、入室許可コードα２から、キーコードを抽出する。情報読出部４６は、対応記憶部３６から、そのキーコードに関連付けられた予定作業情報を読み出す。そして、情報読出し部４６は、位置情報記憶部３８から、その予定作業情報に含まれる予定管理設備の情報に関連付けられた予定管理設備の位置情報を読み出す。以下、読み出した予定作業情報と位置情報とを含む情報を、予定作業総合情報α４とする。
【００３８】
情報読出部４６は、読み出した予定作業総合情報α４を情報通知部４７に送信する。情報通知部４７は、予定作業総合情報α４を、操作者Ｂに通知する。具体的には、情報通知部４７は、予定作業総合情報α４を、表示部２４に表示させることにより、予定作業総合情報α４を操作者Ｂに通知する。
【００３９】
図６は、表示部による予定作業情報の表示画面の一例を示している。図６に示すように、表示部２４が表示する予定作業総合情報α４は、予定管理設備の情報α４ａと、作業内容α４ｂと、キーコードα４ｃと、作業者Ａの情報α４ｄと、作業者Ａの連絡先α４ｅと、入室予定時刻α４ｆと、退室予定時刻α４ｇとを有する。図６の例では、予定管理設備の情報α４ａは、予定管理設備の名称である。作業内容α４ｂは、作業の内容である。作業者Ａの情報α４ｄは、複数の作業者で作業を行う場合は、その代表者の氏名である。作業者Ａの連絡先α４ｅは、代表者の携帯端末１０の電話番号である。入室予定時刻α４ｆは、入室する予定の時刻であるが、さらに、携帯端末１０から送信された現在時刻が、実際の入室時刻としても表示される。退室予定時刻α４ｇは、作業を終えて退室する予定の時刻であるが、退室後は、携帯端末１０から送信される退室処理時の現在時刻が、実際の退室時刻としても表示される。情報読出部４６は、このような予定作業総合情報α４を表示部２４に表示させることで、予定作業総合情報α４を操作者Ｂに通知する。
【００４０】
図５に戻り、予定作業総合情報α４を表示した後、制御装置２０は、現在管理設備検出部４４により、現在管理設備を検出する（ステップＳ３０）。具体的には、現在管理設備検出部４４は、情報取得部４２から、入室情報α３に含まれていた現在位置情報α１を取得する。現在管理設備検出部４４は、入室希望情報が取得された場合、現在位置情報α１から、作業者Ａが現在位置しており入室を希望する管理設備１１０を、現在管理設備として検出する。制御装置２０は、位置情報記憶部３８が、管理している複数の管理設備１１０の位置情報（経度及び緯度）を、それぞれの管理設備１１０の情報（名称など）に関連付けて、位置データとして記憶している。現在管理設備検出部４４は、その位置データを読み出して、管理している複数の管理設備１１０のうち、現在位置情報α１と一致、又は近い位置情報を有する管理設備１１０を、現在管理設備として検出する。
【００４１】
現在管理設備を検出した後、制御装置２０は、一致判断部４８により、設備が一致しているかを判断して、情報通知部４７により、その判断結果を通知する（ステップＳ３２）。具体的には、一致判断部４８は、情報読出部４６から予定作業総合情報α４中の予定管理設備の情報α４ａを取得する。また、一致判断部４８は、現在管理設備検出部４４が検出した現在管理設備の情報（名称など）を取得する。一致判断部４８は、予定管理設備の情報α４ａと現在管理設備の情報とを対照して、予定管理設備と現在管理設備とが、一致しているかを判断する。言い換えれば、一致判断部４８は、情報取得部４２が取得した入室許可コードα２から読み出した予定管理設備と、現在管理設備とが一致しているかを判断する。以下、予定管理設備と現在管理設備とが一致しているかの判断結果を、判断結果α５とする。なお、制御装置２０は、予定管理設備の位置情報と現在管理設備との位置情報とを照合して、予定管理設備と現在管理設備とが一致しているかを判断してもよい。
【００４２】
一致判断部４８は、判断結果α５を情報通知部４７に送信する。情報通知部４７は、判断結果α５を、操作者Ｂに通知する。具体的には、情報通知部４７は、判断結果α５を、表示部２４に表示させることにより、判断結果α５を操作者Ｂに通知する。例えば、情報通知部４７は、予定管理設備と現在管理設備とが一致していないという判断結果α５である場合、図６に示した予定作業総合情報α４を例えば赤色でハイライトする。ただし、情報通知部４７による判断結果α５の通知方法はこれに限られず任意であり、例えば、一致していないという判断結果α５である場合、制御装置２０に警報を鳴らさせてもよい。
【００４３】
操作者Ｂは、この通知された判断結果α５に基づき、入力部２２に入室許可情報α６を入力する。この入室許可情報α６は、制御装置２０の許可情報取得部５０によって取得される。入室許可情報α６は、現在管理設備への作業者Ａの入室を許可する情報である。具体的には、操作者Ｂは、判断結果α５が、予定管理設備と現在管理設備とが一致しているものである場合、入室許可情報α６を入力する。操作者Ｂは、判断結果α５が、予定管理設備と現在管理設備とが一致していない場合、入室許可情報α６を入力しない。予定管理設備と現在管理設備とが一致していない場合、操作者Ｂは、例えば、表示されている作業者Ａの連絡先α４ｅを参照して、作業者Ａに連絡する。
【００４４】
判断結果α５において設備が一致しており（ステップＳ３４；Ｙｅｓ）、すなわち、一致判断部４８が、予定管理設備と現在管理設備とが一致しているかと判断し、かつ、許可情報取得部５０が入室許可情報α６を取得している場合（ステップＳ３６；Ｙｅｓ）、制御装置２０は、情報送信部５２により、携帯端末１０に、入室を許可する旨を通知する（ステップＳ３８）。作業者Ａは、携帯端末１０への入室を許可する旨の通知を確認して、入室が許可された旨を認識する。
【００４５】
入室を許可する旨を通知した後、制御装置２０は、この作業者Ａの入室が、最初の入室であるかを確認する（ステップＳ４０）。最初の入室とは、これ以前で最後に退室処理がなされた後に、他の入室処理がなされていない場合をいう。制御装置２０は、電子ロック１１４が開錠されているかを確認して、開錠されていない場合は、最初の入室であると判断し、開錠されている場合は、最初の入室でないと判断する。ただし、最初の入室であるかの判断方法は、これに限られず、例えば、他の予定作業総合情報α４を読み出すことにより、最初の入室であるかを確認してもよい。
【００４６】
最初の入室である場合（ステップＳ４０；Ｙｅｓ）、制御装置２０は、警報通知制御部５４により、警報装置１１６を警報解除モードとし、電子ロック１１４を操作して扉１１２のロックを解除する(ステップＳ４２)。最初の入室の前は、警報装置１１６は警報通知モードであり、電子ロック１１４により扉１１２がロックされている。制御装置２０は、最初の入室である場合、警報通知制御部５４により、警報装置１１６を警報通知モードから警報解除モードに切り替え、開閉制御部５６により、扉１１２をロックされた状態からロックを解除する状態に切り替える。扉１１２のロックが解除されたことにより、作業者Ａは、管理設備１１０内に入ることが可能となる。また、警報装置１１６が警報解除モードであるため、作業者Ａが入室しても、警報が通知されない。警報通知制御部５４は、警報解除モードに切り替えたら、その警報解除モードの状態を維持する。また、開閉制御部５６は、扉１１２のロックを解除したら、その解除した状態を維持する。
【００４７】
また、ステップＳ３４において設備が一致していない場合（ステップＳ３４；Ｎｏ）、すなわち、一致判断部４８が、予定管理設備と現在管理設備とが一致していないと判断した場合、制御装置２０は、警報装置１１６のモードと扉１１２のロックとを、そのままの状態に維持する（ステップＳ４４）。すなわち、予定管理設備と現在管理設備とが一致していない場合、作業者Ａは、現在管理設備で作業を行う旨の登録がされておらず、言い換えれば、現在管理設備への入室が事前に許可されていない。従って、制御装置２０は、警報装置１１６を警報通知モードのまま維持し、扉１１２をロックされた状態のまま維持する。作業者Ａは、この現在管理設備に入室することができず、もし入室しても、警報装置１１６により警報が通知される。
【００４８】
また、ステップＳ３６において入室許可情報α６を取得しなかった場合（ステップＳ３６；Ｎｏ）、すなわち操作者Ｂが入室を許可しなかった場合も、制御装置２０は、警報装置１１６のモードと扉１１２のロックとを、そのままの状態に維持する（ステップＳ４４）。すなわち、例え一致判断部４８が一致すると判断しても、操作者Ｂが入室を許可しない場合は、警報装置１１６を警報通知モードのまま維持し、扉１１２をロックされた状態のまま維持する。作業者Ａは、この現在管理設備に入室することができず、もし入室しても、警報装置１１６により警報が通知される。なお、設備が一致していない場合（ステップＳ３４；Ｎｏ）、及び入室許可情報α６を取得しなかった場合（ステップＳ３６；Ｎｏ）は、制御装置２０は、情報送信部５２により、携帯端末１０に、入室を許可しない旨を通知してもよい。
【００４９】
また、ステップＳ４０において、最初の入室でない場合（ステップＳ４０；Ｎｏ）、制御装置２０は、警報装置１１６のモードと扉１１２のロックとを、そのままの状態に維持する（ステップＳ４４）。最初の入室でない場合は、すでに他の作業者が入室している状態である。この場合、警報装置１１６は警報解除モードとなっており、扉１１２のロックは解除されている。従って、制御装置２０は、警報装置１１６を警報解除モードのまま維持し、扉１１２をロックが解除された状態のまま維持して、この作業者Ａが入室可能の状態を維持する。
【００５０】
ステップＳ４２又はステップＳ４４が実行されたら、入室処理は終了する。このように、制御装置２０は、入室処理時において、一致判断部４８が、予定管理設備と現在管理設備とが一致すると判断し、かつ、入室許可情報α６を取得した場合（操作者Ｂが入室許可を行った場合）に、警報装置１１６を警報通知モードから警報解除モードに切り替え、扉１１２をロックされた状態からロックを解除する状態に切り替える。このように制御装置２０の判断と操作者の判断とにより、入室許可を行うため、入室の管理精度が高くなる。ただし、制御装置２０は、入室許可情報α６を取得した場合、又は一致判断部４８が予定管理設備と現在管理設備とが一致すると判断した場合のいずれか一方の場合に、警報装置１１６を警報通知モードから警報解除モードに切り替え、扉１１２をロックされた状態からロックを解除する状態に切り替えてもよい。このような場合でも、判断結果α５に基づき入室許可の判断がなされているため、入室の管理精度は高くなる。
【００５１】
制御装置２０は、複数の管理設備１１０の入退室管理を行う場合、各管理設備１１０に現在作業者Ａが入室しているか退室しているか入退室情報を、表示部２４で表示可能にしている。図７は、表示部による入退室情報の表示画面の一例を示している。図７の例では、表示部２４は、３つの管理設備１１０の入退室情報α７ａ、α７ｂ、α７ｃを表示している。入退室情報α７ａ、α７ｂ、α７ｃは、それぞれの管理設備１１０の名称を表示し、その表示にハイライトを付けることで、各管理設備１１０に現在作業者Ａが入室しているか退室しているかを通知している。
【００５２】
（退室処理）
次に、退室処理について説明する。退室処理は、上述の入室処理の後に行われるものであり、作業者Ａの管理設備１１０からの退室を管理するための処理である。
【００５３】
図８は、退室処理を説明するフローチャートである。以下、図８のフローチャートを用いて退室処理について説明する。管理設備１１０内での作業が終了したら、作業者Ａは、管理設備１１０から退室する。そして、作業者Ａは、入室処理時と同様に、管理設備１１０の扉１１２の前、又は管理設備１１０の周辺で、持参していた携帯端末１０に、その管理設備１１０からの退室を希望する旨の情報である退室希望情報を入力する。携帯端末１０は、入退室希望情報取得部１１により、作業者Ａが入力した退室希望情報を取得する（ステップＳ５０）。
【００５４】
退室希望情報を取得したら、携帯端末１０は、退室希望処理を実行する。具体的には、携帯端末１０は、退室希望情報を取得したら、現在情報取得部１２により作業者Ａの現在位置情報α１を取得し、入室許可コード取得部１４により入室許可コードα２を取得する（ステップＳ５２）。現在情報取得部１２は、作業者Ａの現在位置情報α１に加え、現在時刻の情報も取得する。この現在位置情報α１及び入室許可コードα２の取得方法は、入室処理時と同様である。
【００５５】
現在位置情報α１及び入室許可コードα２を取得した後、携帯端末１０は、情報通信部１６により、退室情報α３’を制御装置２０に送信する（ステップＳ５４）。退室情報α３’は、入退室希望情報取得部１１が取得した退室希望情報と、現在情報取得部１２が検出した現在位置情報α１と、入室許可コード取得部１４が取得した入室許可コードα２とを含む情報である。本実施形態では、退室情報α３’は、退室希望情報と現在位置情報α１と入室許可コードα２とに加え、現在情報取得部１２が検出した現在時刻の情報と、携帯端末１０の通信用の端末番号（例えば電話番号）とを含む。
【００５６】
制御装置２０は、情報取得部４２により、携帯端末１０から送信された退室情報α３’を取得する（ステップＳ５６）。退室情報α３’を取得した後、制御装置２０は、情報読出部４６が、退室情報α３’から予定作業総合情報α４を読み出し、情報通知部４７が、その読み出された予定作業総合情報α４を通知する（ステップＳ５８）。具体的には、情報読出部４６は、情報取得部４２から、退室情報α３’に含まれていた入室許可コードα２を取得する。情報読出部４６は、退室情報α３’から、キーコードを抽出し、そのキーコードから、対応記憶部３６及び位置情報記憶部３８に予め記憶されていた予定作業総合情報α４を読み出す。
【００５７】
情報読出部４６は、読み出した予定作業総合情報α４を情報通知部４７に送信する。情報通知部４７は、予定作業総合情報α４を、操作者Ｂに通知する。具体的には、情報通知部４７は、予定作業総合情報α４を、表示部２４に表示させることにより、予定作業総合情報α４を操作者Ｂに通知する。予定作業総合情報α４の通知方法は、入室処理時と同様である。
【００５８】
予定作業総合情報α４を表示した後、制御装置２０は、現在管理設備検出部４４により、現在管理設備を検出する（ステップＳ６０）。具体的には、現在管理設備検出部４４は、退室希望情報が取得された場合、情報取得部４２から、退室情報α３’に含まれていた現在位置情報α１を取得する。現在管理設備検出部４４は、現在位置情報α１から、作業者Ａが現在位置しており、退室を希望する管理設備１１０を、現在管理設備として検出する。現在管理設備の検出方法は、入室処理時と同様である。
【００５９】
現在管理設備を検出した後、制御装置２０は、一致判断部４８により、設備が一致しているかを判断して、情報通知部４７により、その判断結果α５を通知する（ステップＳ６２）。一致判断部４８は、予定管理設備の情報α４ａと現在管理設備の情報とを対照して、予定管理設備と現在管理設備とが、一致しているかを判断する。一致判断部４８による判断方法は、入室処理時と同様である。
【００６０】
一致判断部４８は、判断結果α５を情報通知部４７に送信する。情報通知部４７は、判断結果α５を、操作者Ｂに通知する。具体的には、情報通知部４７は、判断結果α５を、表示部２４に表示させることにより、判断結果α５を操作者Ｂに通知する。判断結果α５の通知方法は、入室処理時と同様である。
【００６１】
操作者Ｂは、この通知された判断結果α５に基づき、入力部２２に退室許可情報α６’を入力する。この退室許可情報α６’は、制御装置２０の許可情報取得部５０によって取得される。退室許可情報α６’は、現在管理設備からの作業者Ａの退室を許可する情報である。具体的は、操作者Ｂは、判断結果α５が、予定管理設備と現在管理設備とが一致しているものである場合、退室許可情報α６’を入力する。操作者Ｂは、判断結果α５が、予定管理設備と現在管理設備とが一致していない場合、退室許可情報α６’を入力しない。予定管理設備と現在管理設備とが一致していない場合、操作者Ｂは、例えば、表示されている作業者Ａの連絡先α４ｅを参照して、作業者Ａに連絡する。
【００６２】
判断結果α５において設備が一致しており（ステップＳ６４；Ｙｅｓ）、すなわち、一致判断部４８が、予定管理設備と現在管理設備とが一致しているかと判断し、かつ、許可情報取得部５０が退室許可情報α６’を取得している場合（ステップＳ６６；Ｙｅｓ）、制御装置２０は、情報送信部５２により、携帯端末１０に、退室を許可する旨を通知する（ステップＳ６８）。作業者Ａは、携帯端末１０への退室を許可する旨の通知を確認して、退室が許可された旨を認識する。
【００６３】
退室を許可する旨を通知した後、制御装置２０は、この作業者Ａの退室が、最後の退室であるかを確認する（ステップＳ７０）。最後の退室とは、この次に入室処理が行われるまでの間に、他の退室処理が行われる予定がない場合をいう。制御装置２０は、他の予定作業総合情報α４を読み出し、他に退室処理の予定がない場合、又は、他の退室処理が全て終了している場合に、最後の退室であると判断する。
【００６４】
最後の退室である場合（ステップＳ７０；Ｙｅｓ）、制御装置２０は、警報通知制御部５４により、警報装置１１６を警報通知モードとし、電子ロック１１４を操作して扉１１２をロックする(ステップＳ７２)。最後の退室の前は、警報装置１１６は警報解除モードであり、電子ロック１１４により扉１１２のロックが解除されている。制御装置２０は、最後の退室である場合、警報通知制御部５４により、警報装置１１６を警報解除モードから警報通知モードに切り替え、開閉制御部５６により、扉１１２のロックが解除された状態からロックされた状態に切り替える。扉１１２がロックされたことにより、以後、管理設備１１０内に立ち入ることはできなくなる。また、警報装置１１６が警報通知モードであるため、何者かが入室した場合、警報が通知される。警報通知制御部５４は、警報通知モードに切り替えたら、その警報通知モードの状態を維持する。また、開閉制御部５６は、扉１１２をロックしたら、そのロックした状態を維持する。
【００６５】
また、ステップＳ６４において設備が一致していない場合（ステップＳ６４；Ｎｏ）、すなわち、一致判断部４８が、予定管理設備と現在管理設備とが一致していないと判断した場合、制御装置２０は、警報装置１１６のモードと扉１１２のロックとを、そのままの状態に維持する（ステップＳ７４）。また、ステップＳ６６において退室許可情報α６’を取得しなかった場合（ステップＳ６６；Ｎｏ）、すなわち操作者Ｂが退室を許可しなかった場合も、制御装置２０は、警報装置１１６のモードと扉１１２のロックとを、そのままの状態に維持する（ステップＳ７４）。なお、設備が一致していない場合（ステップＳ６４；Ｎｏ）、及び退室許可情報α６’を取得しなかった場合（ステップＳ６６；Ｎｏ）は、制御装置２０は、情報送信部５２により、携帯端末１０に、退室を許可しない旨を通知してもよい。なお、制御装置２０は、ステップＳ７４においてそのままの状態に維持している場合であって、退室許可情報α６’を取得していない場合であっても、例えば作業者Ａから最後の退室をした旨の通知（退所処理漏れ通知）を受けた場合は、警報装置１１６を警報通知モードとし、電子ロック１１４を操作して扉１１２をロックしてもよい。これにより、作業者Ａが、例えば退室情報を送信することを忘れたまま退室してしまった場合に、開錠され続けることを防止することができる。なお、退所処理漏れ通知は、例えば、退室処理を忘れてしまった場合に備えて予め設定された信号形式であって、その信号形式は任意であり、例えば電子メールや電話連絡であってもよい。これにより、作業者Ａが管理設備に戻ることなく、閉錠することが可能となる。
【００６６】
また、ステップＳ７０において、最後の退室でない場合（ステップＳ７０；Ｎｏ）、制御装置２０は、警報装置１１６のモードと扉１１２のロックとを、そのままの状態に維持する（ステップＳ７４）。最後の退室でない場合は、他の作業者が入室している可能性がある。この場合に、警報装置１１６は警報解除モードのまま維持し、扉１１２のロックを解除したまま維持することで、他の作業者が入室していても、警報が作動せず、また、退室することが可能となる。
【００６７】
ステップＳ７２又はステップＳ７４が実行されたら、退室処理は終了する。このように、制御装置２０は、退室処理時において、一致判断部４８が、予定管理設備と現在管理設備とが一致すると判断し、かつ、退室許可情報α６’を取得した場合（操作者Ｂが退室許可を行った場合）に、警報装置１１６を警報解除モードから警報通知モードに切り替え、扉１１２をロックが解除された状態からロックされた状態に切り替える。このように制御装置２０の判断と操作者の判断とにより、退室許可を行うため、退室の管理精度が高くなる。ただし、制御装置２０は、一致判断部４８が予定管理設備と現在管理設備とが一致すると判断した場合、及び退室許可情報α６’を取得した場合のいずれか一方の場合に、警報装置１１６を警報解除モードから警報通知モードに切り替え、扉１１２をロックが解除された状態からロックされた状態に切り替えてもよい。このような場合でも、判断結果α５に基づき退室許可の判断がなされているため、退室の管理精度は高くなる。
【００６８】
上述のように、警報通知制御部５４は、警報解除モードに切り替えたらその警報解除モードの状態を維持し、警報通知モードに切り替えたらその警報通知モードの状態を維持する。言い換えれば、警報通知制御部５４は、警報装置１１６が警報解除モードである場合、次に退室希望情報が取得されて、一致判断部４８が一致していると判断して警報通知モードに切り替えるまでは、警報解除モードを維持する。また、警報通知制御部５４は、警報装置１１６が警報通知モードである場合、次に入室希望情報が取得されて、一致判断部４８が一致していると判断して警報解除モードに切り替えるまでは、警報通知モードを維持する。
【００６９】
また、上述のように、開閉制御部５６は、扉１１２のロックを解除したら、その解除した状態を維持し、ロックしたら、そのロックした状態を維持する。言い換えれば、開閉制御部５６は、扉１１２のロックを解除している場合、次に退室希望情報が取得されて、一致判断部４８が一致していると判断してロック状態に切り替えるまでは、扉１１２が閉じられている場合でも、扉１１２のロックを解除し続ける。開閉制御部５６は、扉１１２をロックしている場合、次に入室希望情報が取得されて、一致判断部４８が一致していると判断してロック解除状態に切り替えるまでは、扉１１２をロックし続ける。
【００７０】
また、作業者Ａは、複数の作業者と一緒に作業を行ってもよい。この場合、事前処理で作業申請を行い、入室処理及び退室処理で携帯端末１０を操作する作業者は、一人でよい。入室処理及び退室処理において、警報装置１１６のモード及び扉１１２のロックは、切り替えたらそのまま維持されるため、一人の作業者Ａが入室処理及び退室処理を行ったら、他の作業者Ａも同様に入室及び退室することができる。また、事前処理、入室処理、及び退室処理において、操作者Ｂが制御装置２０を制御していたが、各処理における操作者Ｂは、別の人間であってもよい。操作者Ｂは、作業者Ａと別の人間であり、制御設備１２０内で制御装置２０を制御する者であればよい。
【００７１】
また、制御装置２０は、操作者Ｂが行う操作を、自身で、自動で行ってもよい。例えば、制御装置２０は、操作者Ｂは、入力部２２に入室許可情報α６を入力せず、制御装置２０が、判断結果α５に基づき、入室許可情報α６や退室許可情報α６’を作成してもよい。なお、この場合であっても、制御装置２０は、操作者Ｂに判断結果α５の通知を行う。これにより、制御装置２０の判断に誤りがあった場合でも、操作者Ｂによってその誤りの修正が可能となる。
【００７２】
以上説明したように、入室管理システム１は、警報装置１１６が設けられた管理設備１１０から離れた位置に設けられ、離れた位置から警報装置１１６を制御する制御装置２０と、作業者Ａが携帯して作業者Ａの現在位置情報α１を検出し、現在位置情報α１を制御装置２０に送信可能な携帯端末１０と、を有する。制御装置２０は、キーコード作成部３２と、入室許可コード送付部３４と、対応記憶部３６と、情報取得部４２と、現在管理設備検出部４４と、一致判断部４８と、情報通知部４７と、許可情報取得部５０と、警報通知制御部５４とを有する。キーコード作成部３２は、キーコードを取得する。対応記憶部３６は、作業者Ａが管理設備１１０で作業を行う旨の事前の申請に基づき、作業者Ａが作業を行う予定としている予定管理設備の情報とキーコードとを関連付けて記憶する。入室許可コード送付部３４は、キーコードを含む情報を入室許可コードα２として、事前に作業者Ａに送付する。情報取得部４２は、作業者Ａが管理設備１１０への入室を希望する旨の入室希望情報と、作業者Ａの現在位置情報α１と、入室許可コードα２とを携帯端末１０から取得する。現在管理設備検出部４４は、入室希望情報が取得された場合、情報取得部４２が取得した現在位置情報α１に基づき、現在管理設備を検出する。一致判断部４８は、情報取得部４２が取得した入室許可コードα２から読み出した予定管理設備と、現在管理設備とが一致しているかを判断する。情報通知部４７は、一致判断部４８の判断結果α５を、作業者Ａとは異なる操作者Ｂに通知する。許可情報取得部５０は、操作者Ｂによって入力される情報であって、現在管理設備への入室を許可する情報である入室許可情報α６を取得する。警報通知制御部５４は、一致判断部４８が一致していると判断した場合、及び許可情報取得部５０が入室許可情報α６を取得した場合の少なくともいずれか一方の場合に、警報装置１１６を、扉１１２が開かれた際にも警報通知しない警報解除モードとする。
【００７３】
作業を予定する管理設備１１０から遠く離れた位置に作業者がいる場合に入室許可を行うと、その管理設備１１０に作業者以外の者が入室してしまうおそれがある。従って、管理設備１１０の入室管理を行う場合、作業者がどの設備に入室しようとしているかを適切に認識する必要がある。作業者がどの設備に入室しようとしているかを適切に認識することにより、管理設備１１０への入室管理を適切に行うことが可能となる。本実施形態に係る入室管理システム１は、作業者Ａの現在位置情報α１から入室しようとする現在管理設備を検出し、作業を予定する予定管理設備と一致しているかを判断する。そして、入室管理システム１は、一致している場合に、警報を解除する。この入室管理システム１は、実際に作業者Ａがいる位置が、作業を予定している管理設備１１０周辺であることを認識して、その場合に警報を解除する。そのため、この入室管理システム１は、作業者Ａがどの設備に入室しようとしているかを適切に認識して、管理設備１１０への入室管理を適切に行うことができる。
【００７４】
また、警報通知制御部５４は、一致判断部４８が一致していると判断し、かつ、許可情報取得部５０が入室許可情報α６を取得した場合に、警報解除モードとする。この入室管理システム１は、予定管理設備と現在管理設備とが一致すると判断し、かつ、入室許可情報α６を取得した場合、すなわち操作者Ｂが入室許可を行った場合に、警報装置１１６を警報解除モードにする。入室管理システム１は、このように制御装置２０の判断と操作者の判断とにより、入室許可を行うため、入室の管理精度が高くなる。
【００７５】
また、情報取得部４２は、作業者Ａが管理設備１１０からの退室を希望する旨の退室希望情報と、作業者Ａの現在位置情報α１と、入室許可コードα２とを携帯端末１０から取得する。現在管理設備検出部４４は、退室希望情報が取得された場合、情報取得部４２が取得した現在位置情報α１に基づき、現在管理設備を検出する。許可情報取得部５０は、操作者Ｂによって入力される情報であって、現在管理設備からの退室を許可する情報である退室許可情報α６’を取得する。警報通知制御部５４は、一致判断部４８が一致していると判断した場合、及び許可情報取得部５０が退室許可情報α６’を取得した場合の少なくともいずれか一方の場合に、警報装置１１６を警報通知モードとする。この入室管理システム１は、入室時と同様の処理によって退室管理を行う。従って、この入室管理システム１は、作業者Ａがどの設備から退室しようとしているかを適切に認識して、管理設備１１０への入退室管理を適切に行うことができる。
【００７６】
また、警報通知制御部５４は、警報解除モードである場合、次に退室希望情報が取得されて、一致判断部４８が一致していると判断するまでは、警報解除モードを維持し、警報通知モードである場合、次に入室希望情報が取得されて、一致判断部４８が一致していると判断するまでは、警報通知モードを維持する。この警報通知制御部５４は、一度警報を解除した場合、次に退室が許可されるまでは、警報を解除し続ける。従って、作業者Ａは、例えば作業中に管理設備１１０から一時退室しても、再度の入室処理が不要になり、複数人のグループで作業する際も一度の入室処理で済むため、より柔軟に作業を行うことができる。
【００７７】
また、制御装置２０は、管理設備１１０の扉１１２のロックを開閉制御する開閉制御部５６を更に有している。開閉制御部５６は、入室希望情報が取得されて一致判断部４８が一致していると判断した場合、及び許可情報取得部５０が入室許可情報α６を取得した場合の少なくともいずれか一方の場合に、扉１１２のロックを解除する。そして、開閉制御部５６は、退室希望情報が取得されて一致判断部４８が一致していると判断した場合、及び許可情報取得部５０が退室許可情報α６’を取得した場合の少なくともいずれか一方の場合に、扉１１２をロックする。この制御装置２０は、遠隔で扉１１２のロックを制御する。この制御装置２０は、作業者Ａの現在位置情報α１から入室しようとする現在管理設備を検出し、作業を予定する予定管理設備と一致しているかを判断する。そして、入室管理システム１は、一致している場合に、扉１１２のロックを解除する。入室管理システム１は、退室時も、同様に処理する。そのため、この入室管理システム１は、作業者Ａがどの設備に入室又は退室しようとしているかを適切に認識して、管理設備１１０への入退室管理を適切に行うことができる。
【００７８】
なお、本実施形態では、管理設備１１０は、扉１１２が電子ロック１１４を有する電子扉であって、警報装置１１６を有するものであり、制御装置２０は、警報通知制御部５４と開閉制御部５６とを両方有している。ただし、管理設備１１０は、電子ロック１１４、又は警報装置１１６の少なくともいずれか一方を有していればよい。管理設備１１０が電子ロック１１４のみを有している場合、制御装置２０は、開閉制御部５６のみを有し、電子ロック１１４を操作して扉１１２のロックの開閉を制御する。管理設備１１０が警報装置１１６のみを有している場合、制御装置２０は、警報通知制御部５４のみを有し、警報装置１１６のモード切替を制御する。管理設備１１０が電子ロック１１４を有していない場合、作業者Ａは、持参した鍵で扉１１２を開錠する。
【００７９】
また、本実施形態では、管理敷地扉１０２は、電子ロックを有していなかったが、電子ロックを有していてもよい。この場合、作業者は、管理敷地扉１０２から管理敷地１００に入る前に、同様に入室処理を行う。入室処理により、制御装置２０は、管理敷地扉１０２のロックを解除する。また、作業者Ａは、管理敷地扉１０２から管理敷地１００を出た後に、同様に退室処理を行う。退室処理により、制御装置２０は、管理敷地扉１０２をロックする。この場合、管理設備１１０の扉１１２の開閉制御は、管理敷地扉１０２に連動して行われる。
【００８０】
以上、本発明の実施形態について説明したが、これら実施形態の内容によりこの発明が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【００８１】
１  入室管理システム
１０  携帯端末
２０  制御装置
２６  制御部
３０  事前処理部
３６  対応記憶部
４０  入退室処理部
４２  情報取得部
４４  現在管理設備検出部
４６  情報読出部
４７  情報通知部
４８  一致判断部
５０  許可情報取得部
５２  情報送信部
５４  警報通知制御部
５６  開閉制御部
１１０  管理設備
１１２  扉
１１４  電子ロック
１１６  警報装置
Ａ  作業者
Ｂ  操作者
【図１】
0006740696.tif 000002
【図２】
0006740696.tif 000003
【図３】
0006740696.tif 000004
【図４】
0006740696.tif 000005
【図５】
0006740696.tif 000006
【図６】
0006740696.tif 000007
【図７】
0006740696.tif 000008
【図８】
0006740696.tif 000009